(57)【要約】【課題】ドライバが携帯電話機を操作せずとも到達予定時刻を相手先に伝えられるようにする。【解決手段】ナビゲーション装置１００は、位置検出部７、インターフェース４、タッチパネル６２及びコンピュータ１を備える。コンピュータ１は、現在時刻を計時する時計手段と、タッチパネル６２により目的地に到達する到達予定時刻を算出する到達予定時刻算出手段と、算出した到達予定時刻に到達する旨の文面を含むメールの生成をインターフェース４を通じて携帯電話機２００に行わせるメール生成指示手段と、生成されたメールの送信を携帯電話機２００に行わせるメール送信指示手段と、を有する。【選択図】図１
2008209366.tif 000002
【特許請求の範囲】
【請求項１】
表示部と、
携帯機器と通信するためのインターフェースと、
現在位置を検出する位置検出部と、
目的地を入力する目的地入力部と、
前記位置検出部により検出された現在位置を含む地図画像を前記表示部に表示させる手段を有するコンピュータと、を備え、
前記コンピュータが、
現在時刻を計時する時計手段と、
前記目的地入力部により入力された目的地に到達する到達予定時刻を前記時計手段により計時された現在時刻に基づき算出する到達予定時刻算出手段と、
前記到達予定時刻算出手段により算出された到達予定時刻に到達する旨の文面を含むメールの生成を前記インターフェースを通じて前記携帯機器に行わせるメール生成指示手段と、
前記メール生成指示手段により前記携帯機器に生成されたメールの送信を前記携帯機器に行わせるメール送信指示手段と、を有することを特徴とするナビゲーション装置。
【請求項２】
前記メール生成指示手段が、前記位置検出部により検出された現在位置に関する情報を更に含めたメールの生成を前記インターフェースを通じて前記携帯機器に行わせることを特徴とする請求項１に記載のナビゲーション装置。
【請求項３】
前記コンピュータが、
前記位置検出部により検出された現在位置に最も近い周囲の施設を検索する施設検索手段を更に有し、
前記メール生成指示手段が、前記施設検索手段により検索された施設が現在位置である旨の文面を更に含めたメールの生成を前記インターフェースを通じて前記携帯機器に行わせることを特徴とする請求項１に記載のナビゲーション装置。
【請求項４】
前記コンピュータが、
前記目的地入力部により入力された目的地に到達する到達予定時刻を前記時計手段により計時された現在時刻に基づき再算出する到達予定時刻再算出手段と、
前記到達予定時刻再算出手段により算出された到達予定時刻に到達する旨の文面を含むメールの生成を前記インターフェースを通じて前記携帯機器に行わせるメール生成再指示手段と、
前記メール生成再指示手段により前記携帯機器に生成されたメールの送信を前記携帯機器に行わせるメール送信再指示手段と、を更に有することを特徴とする請求項１又は２に記載のナビゲーション装置。
【請求項５】
前記コンピュータが、前記到着予定時刻算出手段により算出された到着予定時刻と前記到着予定時刻再算出手段により再算出された到着予定時刻とが相違するか否かを判定する判定手段を更に備え、
前記メール送信再指示手段は、前記判定手段による判定が相違するものである場合に前記携帯機器にメールの送信を行わせることを特徴とする請求項４に記載のナビゲーション装置。
【請求項６】
前記メール送信再指示手段は、前記メール送信手段による前記携帯機器のメール送信時から所定時間経過後に前記携帯機器にメールの送信を行わせることを特徴とする請求項４に記載のナビゲーション装置。
【請求項７】
前記コンピュータが、
前記位置検出部により検出された現在位置に最も近い周囲の施設を検索する第二の施設検索手段を更に有し、
前記メール生成再指示手段が、前記第二の施設検索手段により検索された施設が現在位置である旨の文面を更に含めたメールの生成を前記インターフェースを通じて前記携帯機器に行わせることを特徴とする請求項４から６の何れか一項に記載のナビゲーション装置。
【請求項８】
表示部と、
携帯機器と通信するためのインターフェースと、
現在位置を検出する位置検出部と、
目的地を入力する目的地入力部と、
前記位置検出部により検出された現在位置を含む地図画像を前記表示部に表示させる手段を有するコンピュータと、を備え、
前記コンピュータが、
現在時刻を計時する時計手段と、
前記目的地入力部により入力された目的地に到達する到達予定時刻を前記時計手段により計時された現在時刻に基づき算出する到達予定時刻算出手段と、
前記到達予定時刻算出手段により算出された到達予定時刻に到達する旨の文面を含むメールを生成するメール生成手段と、
前記メール生成手段により生成されたメールの送信を前記インターフェースを通じて前記携帯機器で行うメール送信手段と、を有することを特徴とするナビゲーション装置。
【発明の詳細な説明】
【技術分野】
【０００１】
本発明は、ナビゲーション装置に関する。
【背景技術】
【０００２】
従来、車載用のナビゲーション装置に外部機器として携帯電話機を接続したものがあり、このようなナビゲーション装置を２台以上の自動車に搭載し、携帯電話機の機能を用いてナビゲーション装置間で通信を行うことが知られている（特許文献１参照）。
【特許文献１】特開２００３−１０９１８５号公報
【発明の開示】
【発明が解決しようとする課題】
【０００３】
しかしながら、携帯電話機を用いてナビゲーション装置間で通信を行うことができたが、ナビゲーション装置に接続された携帯電話機は、ナビゲーション装置に接続されていない他の携帯電話機と通信を行えるものではなかった。つまり、自動車のドライバが目的地にいる者に対して遅延・到達予定時刻・現在地等を連絡するためには、そのドライバが携帯電話機を操作して通話により又は電子メールにより相手先に連絡する必要があった。
そこで、本発明は、ドライバが携帯電話機を操作せずとも到達予定時刻を相手先に伝えられるようにすることを課題とする。
【課題を解決するための手段】
【０００４】
以上の課題を解決するために、請求項１に係る発明は、ナビゲーション装置において、
表示部と、
携帯機器と通信するためのインターフェースと、
現在位置を検出する位置検出部と、
目的地を入力する目的地入力部と、
前記位置検出部により検出された現在位置を含む地図画像を前記表示部に表示させる手段を有するコンピュータと、を備え、
前記コンピュータが、
現在時刻を計時する時計手段と、
前記目的地入力部により入力された目的地に到達する到達予定時刻を前記時計手段により計時された現在時刻に基づき算出する到達予定時刻算出手段と、
前記到達予定時刻算出手段により算出された到達予定時刻に到達する旨の文面を含むメールの生成を前記インターフェースを通じて前記携帯機器に行わせるメール生成指示手段と、
前記メール生成指示手段により前記携帯機器に生成されたメールの送信を前記携帯機器に行わせるメール送信指示手段と、を有することを特徴とする。
【０００５】
請求項２に係る発明は、請求項１に記載のナビゲーション装置において、
前記メール生成指示手段が、前記位置検出部により検出された現在位置に関する情報を更に含めたメールの生成を前記インターフェースを通じて前記携帯機器に行わせることを特徴とする。
【０００６】
請求項３に係る発明は、請求項１に記載のナビゲーション装置において、
前記コンピュータが、
前記位置検出部により検出された現在位置に最も近い周囲の施設を検索する施設検索手段を更に有し、
前記メール生成指示手段が、前記施設検索手段により検索された施設が現在位置である旨の文面を更に含めたメールの生成を前記インターフェースを通じて前記携帯機器に行わせることを特徴とする。
【０００７】
請求項４に係る発明は、請求項１又は２に記載のナビゲーション装置において、
前記コンピュータが、
前記目的地入力部により入力された目的地に到達する到達予定時刻を前記時計手段により計時された現在時刻に基づき再算出する到達予定時刻再算出手段と、
前記到達予定時刻再算出手段により算出された到達予定時刻に到達する旨の文面を含むメールの生成を前記インターフェースを通じて前記携帯機器に行わせるメール生成再指示手段と、
前記メール生成再指示手段により前記携帯機器に生成されたメールの送信を前記携帯機器に行わせるメール送信再指示手段と、を更に有することを特徴とする。
【０００８】
請求項５に係る発明は、請求項４に記載のナビゲーション装置において、
記コンピュータが、前記到着予定時刻算出手段により算出された到着予定時刻と前記到着予定時刻再算出手段により再算出された到着予定時刻とが相違するか否かを判定する判定手段を更に備え、
前記メール送信再指示手段は、前記判定手段による判定が相違するものである場合に前記携帯機器にメールの送信を行わせることを特徴とする。
【０００９】
請求項６に係る発明は、請求項４に記載のナビゲーション装置において、
前記メール送信再指示手段は、前記メール送信手段による前記携帯機器のメール送信時から所定時間経過後に前記携帯機器にメールの送信を行わせることを特徴とする。
【００１０】
請求項７に係る発明は、請求項４から６の何れか一項に記載のナビゲーション装置において、
前記コンピュータが、
前記位置検出部により検出された現在位置に最も近い周囲の施設を検索する第二の施設検索手段を更に有し、
前記メール生成再指示手段が、前記第二の施設検索手段により検索された施設が現在位置である旨の文面を更に含めたメールの生成を前記インターフェースを通じて前記携帯機器に行わせることを特徴とする。
【００１１】
請求項８に係る発明は、ナビゲーション装置において、
表示部と、
携帯機器と通信するためのインターフェースと、
現在位置を検出する位置検出部と、
目的地を入力する目的地入力部と、
前記位置検出部により検出された現在位置を含む地図画像を前記表示部に表示させる手段を有するコンピュータと、を備え、
前記コンピュータが、
現在時刻を計時する時計手段と、
前記目的地入力部により入力された目的地に到達する到達予定時刻を前記時計手段により計時された現在時刻に基づき算出する到達予定時刻算出手段と、
前記到達予定時刻算出手段により算出された到達予定時刻に到達する旨の文面を含むメールを生成するメール生成手段と、
前記メール生成手段により生成されたメールの送信を前記インターフェースを通じて前記携帯機器で行うメール送信手段と、を有することを特徴とする。
【発明の効果】
【００１２】
本発明によれば、ナビゲーション装置のコンピュータによって到達予定時刻が算出され、そのコンピュータが携帯機器に指示することによって、算出した到達予定時刻に到達する旨の文面を含むメールが携帯機器により送信される。そのため、ドライバが携帯機器を操作せずとも、到達予定時刻を相手先に連絡することができる。
【発明を実施するための最良の形態】
【００１３】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００１４】
＜第１の実施の形態＞
図１は、本発明の実施形態に係るナビゲーション装置１００の概略構成を示したブロック図である。図１に示すように、ナビゲーション装置１００は、コンピュータ１、記憶部２、メモリ３、インターフェース４、操作表示部６、位置検出部７、ＨＤ（Hard Disk）部９及びスピーカ部１０等により構成される。なお、このナビゲーション装置１００は、主に自動車に搭載されるものである。
【００１５】
スピーカ部１０は電気音響変換器である。つまり、スピーカ部１０は、コンピュータ１によって増幅されて出力されたオーディオ信号を音に変換して、音を出力するものである。
【００１６】
ＨＤ部９には地図データ９１が記憶されている。地図データ９１は、緯度・経度に対応付けされた地図画像と、緯度・経度に対応付けされた道路データと、緯度・経度に対応付けされた施設情報とから構成されている。なお、ＨＤ部９の代わりにディスクドライブであっても良い。ディスクドライブは光ピックアップ等を有し、可搬性のディスク型記録媒体の記録情報を読み取るものである。この場合、ディスク型記録媒体に地図データ９１が記憶されている。
【００１７】
位置検出部７は、ＧＰＳアンテナ７１、ＧＰＳユニット及び自律航法ユニット等を有する。位置検出部７は、地球低軌道に打ち上げられた複数のＧＰＳ衛星からＧＰＳアンテナ７１で信号を受信し、その受信した信号に基づき現在位置の緯度及び経路をＧＰＳユニットにより検出する。更に、位置検出部７は、自律航法ユニットにより進行方向を検出する。位置検出部７はそれら検出緯度、検出経度及び検出進行方向に関する信号をコンピュータ１に出力し、それら検出緯度、検出経度及び検出進行方法がコンピュータ１の処理に用いられる。
【００１８】
操作表示部６は、表示部６１及びタッチパネル６２を備えている。
表示部６１は、液晶ディスプレイ又はエレクトロルミネッセンスディスプレイいった表示装置であり、コンピュータ１から入力される表示信号に従って表示を行う。例えば、表示部６１には、現在位置を中心とした地図等が表示される。
【００１９】
タッチパネル６２は、表示部６１の表示画面に設けられている。タッチパネル６２は電磁誘導式、磁気歪式、感圧式等の座標読み取り原理によって接触された位置を検出し、その接触された位置信号をコンピュータ１に出力する。タッチパネル６２により目的地を入力される。
【００２０】
メモリ３には、連絡先データベース３１が格納されている。連絡先データベース３１は、登録者ごとにメールアドレスを対応付けたものである。
【００２１】
記憶部２は半導体メモリ又は小型ハードディスク記憶装置であり、記憶部２にプログラム２１が格納されている。
【００２２】
インターフェース４は外部の携帯電話機２００と通信を行うためのインターフェースである。インターフェース４としては、ＵＳＢ規格のインターフェースであったり、赤外線通信機器（例えば、ＩｒＤＡ規格の赤外線通信機器）であったりする。なお、携帯電話機２００は電子メールを送受信する機能を有する。
【００２３】
コンピュータ１は記憶部２のプログラム２１を読み込んでそのプログラムにより以下の手段として機能する。
【００２４】
コンピュータ１は、現在の時刻を計時する時計手段として機能する。
コンピュータ１は、タッチパネル６２により選択された選択登録者のメールアドレスをメモリ３の連絡先データベース３１から検索する連絡先検索手段、その検索した選択登録者のメールアドレスをメモリ３に記録するアドレス記録手段、として機能する。
また、コンピュータ１は、位置検出部７による検出緯度及び検出経度を中心とした地図画像をＨＤ部９の地図データ９１から検索する地図検索手段、検索した地図画像を表示部６１に表示させる地図表示手段、として機能する。
【００２５】
また、タッチパネル６２により目的地が入力された場合、コンピュータ１は、位置検出部７による現在位置の検出緯度及び検出経度からその入力目的地までの経路を地図データ９１から算出する経路算出手段、その算出した経路を地図画像とともに表示部６１に表示させて案内を行う案内手段、として機能する。これにより、ナビゲーション装置１００により目的地までの誘導が行われる。
【００２６】
また、タッチパネル６２により目的地が入力された場合、コンピュータ１は、経路算出手段により算出された経路と時計手段により計時された現在の時刻とに基づき当初の到着予定時刻を算出する到着予定時刻算出手段、その算出した到着予定時刻を地図画像とともに表示部６１に表示させる予定時刻表示手段、として機能する。
【００２７】
また、タッチパネル６２により目的地が入力された場合、コンピュータ１は、位置検出部７による現在位置の検出緯度及び検出経度に最も近い周囲の施設をＨＤ部９の地図データ９１から検索する施設検索手段として機能する。
【００２８】
また、タッチパネル６２により目的地が入力された場合、コンピュータ１は、施設検索手段により検索された施設が現在位置である旨の文面と、到着予定時刻算出手段により算出された当初の到着予定時刻に到着する旨の文面とを含むメールであって、アドレス記録手段によりメモリ３に記録された選択登録者のメールアドレスを宛先とするメールを携帯電話機２００に生成させるメール生成指示手段として機能する。つまり、コンピュータ１のメール生成指示手段は、施設検索手段により検索された施設が現在位置である旨の文面と、到着予定時刻算出手段により算出された当初の到着予定時刻に到着する旨の文面とを含むメールであって、アドレス記録手段によりメモリ３に記録された選択登録者のメールアドレスを宛先とするメールを生成する生成手段と、その生成したメールを携帯電話機２００に転送してそのメールを携帯電話機２００に生成させる転送手段と、を含む。これにより、携帯電話機２００にメールが一時的に記憶される。
また、コンピュータ１は、タッチパネル６２により送信の旨が入力された場合にメール生成指示手段により生成されたメール（つまり、転送手段により転送されたメール）を携帯電話機２００に送信させるメール送信指示手段として機能する。
【００２９】
また、コンピュータ１は、位置検出部７による現在位置の検出緯度及び検出経度と、経路算出手段により算出された経路と、時計手段により計時された現在の時刻と、に基づき到着予定時刻を再度求める到着予定時刻再算出手段として機能する。
【００３０】
また、コンピュータ１は、到着予定時刻算出手段により求められた当初の到着予定時刻と、到着予定時刻再算出手段に再算出された到着予定時刻とが相違するか否かを判定する判定手段として機能する。具体的には、コンピュータ１は、当初の到着予定時刻と再算出した到着予定時刻の差が所定の閾値よりも大きい場合に、当初の到着予定時刻と再算出された到着予定時刻が相違すると判定し、当初の到着予定時刻と再算出した到着予定時刻の差が前記所定の閾値以下である場合に、当初の到着予定時刻と再算出された到着予定時刻が同一であると判定する。
【００３１】
コンピュータ１は、両者の到着予定時刻が相違すると判定した場合に、次の施設再検索手段、メール再生成指示手段及びメール再送信指示手段として機能する。つまり、コンピュータ１は、位置検出部７による現在位置の検出緯度及び検出経度に最も近い周囲の施設をＨＤ部９の地図データ９１から再検索する施設再検索手段として機能する。また、コンピュータ１は、施設再検索手段により再検索された施設が現在位置である旨の文面と、到着予定時刻再算出手段により再算出された到着予定時刻に到着する旨の文面とを含むメールであって、アドレス記録手段によりメモリ３に記録された選択登録者のメールアドレスを宛先とするメールを、インターフェース４を介して携帯電話機２００に転送して、そのメールを携帯電話機２００に生成させるメール再生成指示手段として機能する。そして、コンピュータ１は、タッチパネル６２により送信の旨が入力された場合にメール再生成指示手段により生成されたメールを携帯電話機２００に再送信させるメール再送信指示手段として機能する。
【００３２】
続いて、プログラム２１に従ったコンピュータ１の動作とナビゲーション装置１００の動作とについて説明する。まず、初期設定時における動作について説明する。
【００３３】
ドライバがタッチパネル６２をタッチすることによって登録者を選択すると、コンピュータ１が選択登録者のメールアドレスをメモリ３の連絡先データベース３１から検索する。
次に、コンピュータ１は、検索した選択登録者のメールアドレスをメモリ３に記録する。これにより、コンピュータ１は、メールアドレスを設定する。なお、ドライバがタッチパネル６２を操作することによってメールアドレスを直接入力し、コンピュータ１がそのメールアドレスをメモリ３に記録することによってメールアドレスの設定を行っても良い。
【００３４】
次に、ドライバがタッチパネル６２をタッチし、タッチパネル６２により目的地が入力されると、コンピュータ１が、位置検出部７による現在位置の検出緯度及び検出経度からその入力目的地までの経路を地図データ９１から算出する。
次に、コンピュータ１は、位置検出部７による現在位置の検出緯度及び検出経度の最も近い周囲の施設をＨＤ部９の地図データ９１から検索する。
次に、コンピュータ１は、算出した経路と現在時刻とに基づき、当初の到着予定時刻を求める。そして、コンピュータ１は、位置検出部７による検出緯度及び検出経度を中心とした地図画像をＨＤ部９の地図データ９１から検索し、検索した地図画像を算出した経路及び当初到着予定時刻とともに表示部６１に表示させる。
以後、位置検出部７によって検出緯度及び検出経度が検出されるごとに、コンピュータ１が検出緯度及び検出経度を中心とした地図画像を経路及び当初到着予定時刻とともに表示部６１に表示させることによって、ドライバに対して目的地までの誘導が行われる。
【００３５】
一方、コンピュータ１は、先ほど検索した施設が現在位置である旨の文面と、先ほど算出した到着予定時刻に到着する旨の文面とを含むメールをインターフェース４を介して携帯電話機２００に転送し、そのメールを携帯電話機２００に生成させる。この時、コンピュータ１は、メモリ３に記録された選択登録者のメールアドレスをそのメールの宛先とするようそのメールを携帯電話機２００に生成させる。なお、コンピュータ１は、先ほど検索した施設が現在位置である旨の文面の代わりに、位置検出部７により検出された現在位置に関する情報をメールに含めても良い。位置検出部７により検出された現在位置に関する情報とは、位置検出部７により検出された現在位置の緯度・経度又はその緯度・経度に対応した住所若しくは進行方向付き通り名称であり、具体的にはその現在位置にいる旨の文面をメールに含める。
【００３６】
次に、コンピュータ１は、連絡用アイコンを表示部６１に表示させる。
そして、ドライバが表示部６１に表示された連絡用アイコンに対応する部分でタッチパネル６２をタッチしたら、その検出信号がタッチパネル６２からコンピュータ１へ入力される。その検出信号を入力したコンピュータ１はインターフェース４を介して携帯電話機２００に送信指示を出力すると、携帯電話機２００によってメールが送信される。なお、コンピュータ１がドライバによるタッチパネル６２のタッチを待たずに即座にメール送信指示をするものとしても良い。
【００３７】
以上により、ドライバが携帯電話機２００を操作せずとも、送信先の携帯電話機等に到着予定時刻及びナビゲーション装置１００の現在位置が伝えられる。そのため、ドライバは安全運転を行うことができる。また、送信先のメール受取人は、メールの内容を見て、前記ドライバの到着予定時刻及び現在位置を把握することができる。
【００３８】
続いて、初期設定後、ナビゲーション装置１００によって目的地までの誘導が行われている時におけるナビゲーション装置１００の動作について説明する。
コンピュータ１が、位置検出部７による現在位置の検出緯度及び検出経度と、算出した経路及び現在時刻とに基づき到着予定時刻を再度求める。
【００３９】
次に、コンピュータ１が、先に算出した当初の到着予定時刻と、再算出した到着予定時刻とを比較する。つまり、コンピュータ１が、当初の到着予定時刻と再算出した到着予定時刻との差が所定の閾値よりも以下であるかその閾値を越えているかを判定する。比較の結果、当初の到着予定時刻と再算出した到着予定時刻が相違する場合（差が所定の閾値を越える場合）、コンピュータ１は、位置検出部７による現在位置の検出緯度及び検出経度に最も近い周囲の施設をＨＤ部９の地図データ９１から再検索する。
【００４０】
次に、コンピュータ１は、先ほど再検索した施設が現在位置である旨の文面と、先ほど再算出した到着予定時刻に到着する旨の文面とを含むメールをインターフェース４を介して携帯電話機２００に転送し、そのメールを携帯電話機２００に再生成させる。この時、コンピュータ１は、メモリ３に記録された選択登録者のメールアドレスをそのメールの宛先とするようそのメールを携帯電話機２００に再生成させる。なお、コンピュータ１は、先ほど再検索した施設が現在位置である旨の文面の代わりに、位置検出部７により検出された現在位置にいる旨の文面をメールに含めても良い。
【００４１】
次に、コンピュータ１は、連絡用アイコンを表示部６１に再度表示させる。そして、ドライバが表示部６１に表示された連絡用アイコンに対応する部分でタッチパネル６２をタッチしたら、その検出信号がタッチパネル６２からコンピュータ１へ入力される。その検出信号を入力したコンピュータ１はインターフェース４を介して携帯電話機２００に再び送信指示を出力すると、携帯電話機２００によってメールが再送信される。なお、コンピュータ１がドライバによるタッチパネル６２のタッチを待たずに即座にメール送信指示をするものとしても良い。
【００４２】
以上により、送信先の携帯電話機等に到着予定時刻及びナビゲーション装置１００の現在位置が伝えられる。そのため、ドライバは安全運転を行うことができる。また、送信先のメール受取人は、メールの内容を見て、前記ドライバの到着予定時刻及び現在位置を把握することができる。この場合においては、道路が渋滞等して到着時刻が遅れそうになったり、逆に道路が空いていて到着時刻が早くなりそうな場合でも、ほぼ正確な到着予定時刻をメール受取人に知らせることができる。
【００４３】
なお、上記比較の結果、当初の到着予定時刻と再算出した到着予定時刻が同じ場合（差が所定の閾値以下である場合）、コンピュータ１は到着予定時刻を同様に再度求め、当初の到着予定時刻と再算出した到着予定時刻とを再比較する。当初の到着予定時刻と再算出した到着予定時刻が相違するようになるまで、コンピュータ１はこれらのことを繰り返し、当初の到着予定時刻と再算出した到着予定時刻が相違したら、上述の施設再検索を行う。
【００４４】
なお、本実施の形態における記述内容は本発明の趣旨を逸脱しない範囲で適宜変更可能である。
【００４５】
＜変形例＞
上記実施形態においては、コンピュータ１は当初の到着予定時刻と再算出された到着予定時刻が相違することとなった場合、施設再検索手段、メール再生成指示手段及びメール再送信指示手段として機能したが、次の場合に施設再検索手段、メール再生成指示手段及びメール再送信指示手段として機能しても良い。つまり、初期設定時において携帯電話機２００によってメールが送信されてから所定時間経過した場合、又は、初期設定時後、ドライバが表示部６１に表示されたアイコンの部分でタッチパネル６２をタッチした場合、コンピュータ１が施設再検索手段、メール再生指示手段及びメール再送信指示手段として機能しても良い。
【００４６】
この場合、初期設定後、ナビゲーション装置１００によって目的地までの誘導が行われている時におけるナビゲーション装置１００及びコンピュータ１が以下のように動作する。
コンピュータ１は初期設定時において携帯電話機２００によってメールが送信されてから所定時間経過したか否かを判定し、コンピュータ１は所定時間経過したと判定したら以下のように動作する。又は、コンピュータ１はドライバが表示部６１に表示されたアイコンの部分でタッチパネル６２をタッチしたか否かを判定し、コンピュータ１はそのアイコンの部分でタッチされた旨の検出信号をタッチパネル６２から入力したら、以下のように動作する。
【００４７】
コンピュータ１は、位置検出部７による現在位置の検出緯度及び検出経度と、算出した経路及び現在時刻とに基づき到着予定時刻を再度求める。次に、コンピュータ１は、位置検出部７による現在位置の検出緯度及び検出経度に最も近い周囲の施設をＨＤ部９の地図データ９１から再検索する。
【００４８】
次に、コンピュータ１は、先ほど再検索した施設が現在位置である旨の文面と、先ほど再算出した到着予定時刻に到着する旨の文面とを含むメールをインターフェース４を介して携帯電話機２００に転送し、そのメールを携帯電話機２００に再生成させる。この時、コンピュータ１は、メモリ３に記録された選択登録者のメールアドレスをそのメールの宛先とするようそのメールを携帯電話機２００に再生成させる。なお、コンピュータ１は、先ほど再検索した施設が現在位置である旨の文面の代わりに、位置検出部７により検出された現在位置にいる旨の文面をメールに含めても良い。
【００４９】
次に、コンピュータ１は、連絡用アイコンを表示部６１に再度表示させる。そして、ドライバが表示部６１に表示された連絡用アイコンに対応する部分でタッチパネル６２をタッチしたら、その検出信号がタッチパネル６２からコンピュータ１へ入力される。その検出信号を入力したコンピュータ１はインターフェース４を介して携帯電話機２００に再び送信指示を出力すると、携帯電話機２００によってメールが再送信される。
【００５０】
その後、コンピュータ１は、所定時間経過する毎に又はドライバが所定アイコンでタッチパネル６２をタッチする毎に上記の処理を繰り返す。これにより、定期的に又はドライバが操作する毎に、送信先の携帯電話機等に到着予定時刻及びナビゲーション装置１００の現在位置が相手先に伝えられる。
【００５１】
＜第２の実施の形態＞
上記第１実施形態では、携帯電話機２００が電子メール送受信機能を有し、ナビゲーション装置１００のコンピュータ１が携帯電話機２００に指示することによってメールの送信が行われる場合について説明した。それに対して、第２実施形態では、携帯電話機２００の通信ネットワーク（インターネット、携帯電話無線通信網等）接続機能を利用し、ナビゲーション装置１００のコンピュータ１がメールを携帯電話機２００で送信するものとしている。この場合、プログラム２１によるコンピュータ１の機能が上記第１実施形態と異なるので、以下、コンピュータ１の機能について説明する。
【００５２】
第２実施形態においても第１実施形態と同様に、コンピュータ１が計時手段、連絡先検索手段、アドレス記録手段、地図検索手段、地図表示手段、経路算出手段、案内手段、到着予定時刻算出手段、予定時刻表示手段、施設検索手段、到着予定時刻再算出手段及び施設再検索手段として機能する。
【００５３】
しかし、コンピュータ１はメール生成指示手段、メール送信指示手段の代わりに以下のメール生成手段、ネットワーク接続手段及びメール送信手段として機能する。つまり、タッチパネル６２により目的地が入力された場合、コンピュータ１は、施設検索手段により検索された施設が現在位置である旨の文面と、到着予定時刻算出手段により算出された当初の到着予定時刻に到着する旨の文面とを含むメールであって、アドレス記録手段によりメモリ３に記録された選択登録者のメールアドレスを宛先とするメールを生成するメール生成手段として機能する。コンピュータ１は、インターフェース４を通じて携帯電話機２００に指示することによって携帯電話機２００により通信ネットワークに接続するネットワーク接続手段として機能する。コンピュータ１は、ネットワーク接続手段により通信ネットワークに接続した状態で、メール生成手段により生成されたメールの送信を前記インターフェース４を通じて携帯電話機２００で行うメール送信手段として機能する。
【００５４】
また、コンピュータ１はメール再生成指示手段及びメール再送信指示手段の代わりに、メール再生成手段、ネットワーク再接続手段及びメール再送信手段として機能する。つまり、コンピュータ１は、施設再検索手段により再検索された施設が現在位置である旨の文面と、到着予定時刻再算出手段により再算出された到着予定時刻に到着する旨の文面とを含むメールであって、アドレス記録手段によりメモリ３に記録された選択登録者のメールアドレスを宛先とするメールを再生成するメール再生成手段として機能する。また、コンピュータ１は、インターフェース４を通じて携帯電話機２００に再度指示することによって携帯電話機２００により通信ネットワークに再度接続するネットワーク再接続手段として機能する。コンピュータ１は、ネットワーク接続手段により通信ネットワークに接続した状態で、メール再生成手段により生成されたメールの送信を前記インターフェース４を通じて携帯電話機２００で行うメール送信手段として機能する。なお、当初の到着予定時刻と再算出された到着予定時刻が相違することとなった場合、初期設定時において携帯電話機２００を通じてメールが送信されてから所定時間経過した場合、又は、初期設定時後、ドライバが表示部６１に表示されたアイコンの部分でタッチパネル６２をタッチした場合、コンピュータ１が施設再検索手段、メール再生成手段、ネットワーク再接続手段及びメール再送信手段として機能する。
【００５５】
次に、ナビゲーション装置１００及びコンピュータ１の動作について説明する。
ドライバがタッチパネル６２をタッチすることによって登録者を選択してから、コンピュータ１が検出緯度及び検出経度を中心とした地図画像を経路及び当初到着予定時刻とともに表示部６１に表示させることによってドライバに対して目的地までの誘導が行われるまでの動作は、上記第１実施形態の場合と同様である。
【００５６】
一方、コンピュータ１は、先ほど検索した施設が現在位置である旨の文面と、先ほど算出した到着予定時刻に到着する旨の文面とを含むメールを生成し一時的に記憶する。この時、コンピュータ１は、メモリ３に記録された選択登録者のメールアドレスをそのメールの宛先とするようそのメールを生成する。なお、コンピュータ１は、先ほど検索した施設が現在位置である旨の文面の代わりに、位置検出部７により検出された現在位置に関する情報をメールに含めても良い。
【００５７】
次に、コンピュータ１は、連絡用アイコンを表示部６１に表示させる。
そして、ドライバが表示部６１に表示された連絡用アイコンに対応する部分でタッチパネル６２をタッチしたら、その検出信号がタッチパネル６２からコンピュータ１へ入力される。その検出信号を入力したコンピュータ１はインターフェース４を介して携帯電話機２００にネットワーク接続指示すると、携帯電話機２００によって通信ネットワークに接続される。
【００５８】
次に、コンピュータ１が先ほど生成したメールを送信する。ここで、コンピュータ１はインターフェース４を介して携帯電話機２００によりメールを送信する。
【００５９】
続いて、初期設定後、ナビゲーション装置１００によって目的地までの誘導が行われている時におけるナビゲーション装置１００の動作について説明する。
【００６０】
コンピュータ１が位置検出部７による現在位置の検出緯度及び検出経度と、算出した経路及び現在時刻とに基づき到着予定時刻を再度求める。
【００６１】
そして、コンピュータ１は、先に算出した当初の到着予定時刻と、再算出した到着予定時刻とを比較判定し、比較の結果、当初の到着予定時刻と再算出した到着予定時刻が相違する場合（差が所定の閾値を越える場合）、以下のように動作する。又は、コンピュータ１は初期設定時において携帯電話機２００によってメールが送信されてから所定時間経過したか否かを判定し、コンピュータ１は所定時間経過したと判定したら以下のように動作する。又は、コンピュータ１はドライバが表示部６１に表示されたアイコンの部分でタッチパネル６２をタッチしたか否かを判定し、コンピュータ１はそのアイコンの部分でタッチされた旨の検出信号をタッチパネル６２から入力したら、以下のように動作する。
【００６２】
つまり、上記の判定後、コンピュータ１は、位置検出部７による現在位置の検出緯度及び検出経度に最も近い周囲の施設をＨＤ部９の地図データ９１から再検索する。次に、コンピュータ１は、先ほど再検索した施設が現在位置である旨の文面と、先ほど再算出した到着予定時刻に到着する旨の文面とを含むメールを生成して一次記憶する。次に、コンピュータ１は、連絡用アイコンを表示部６１に表示させる。そして、ドライバが表示部６１に表示された連絡用アイコンに対応する部分でタッチパネル６２をタッチしたら、その検出信号がタッチパネル６２からコンピュータ１へ入力される。その検出信号を入力したコンピュータ１はインターフェース４を介して携帯電話機２００にネットワーク接続指示すると、携帯電話機２００によって通信ネットワークに接続される。次に、コンピュータ１が先ほど生成したメールを送信する。ここで、コンピュータ１はインターフェース４を介して携帯電話機２００によりメールを送信する。
【図面の簡単な説明】
【００６３】
【図１】図１は、ナビゲーション装置の概略構成を示したブロック図である。
【符号の説明】
【００６４】
１  コンピュータ
２  記憶部
３  メモリ
４  インターフェース
７  位置検出部
９  ＨＤ部
２１  プログラム
６２  タッチパネル
６１  表示部
１００  ナビゲーション装置
２００  携帯電話機
【図１】
2008209366.tif 000003